(57)【要約】【課題】  カバー部が閉じた状態の給送装置全体を小型化することができる給送装置を提供すること。【解決手段】  被送り媒体（Ｐ）を載置する第１トレイ部（３０）と、該第１トレイ部（３０）を収容する基体部２１と、開閉可能に設けられており、閉じた状態のとき、収納時ポジションの前記第１トレイ部（３０）を覆い、開いた状態のとき、前記第１トレイ部（３０）を覆わないカバー部４０と、該カバー部４０の動力を前記第１トレイ部（３０）へ伝達する第１動力伝達手段７０（４５）と、を備え、該第１動力伝達手段７０（４５）は、前記カバー部４０が開いた状態に切り替るとき、該カバー部４０の変位に伴って前記第１トレイ部（３０）を使用時ポジションへ変位させ、前記カバー部４０が閉じた状態に切り替るとき、該カバー部４０の変位に伴って前記第１トレイ部（３０）を前記収納時ポジションへ変位させる構成であることを特徴とする。【選択図】図２
2010245624.tif 000002
【特許請求の範囲】
【請求項１】
筐体を形成する基体部と、
該基体部内に収容された収納時ポジションと、該収納時ポジションより前記基体部から突出する方向へ変位した使用時ポジションと、を有しており、被送り媒体の送り経路の一端側に設けられ、被送り媒体を載置する第１トレイ部と、
開閉可能に設けられており、閉じた状態のとき、前記収納時ポジションの前記第１トレイ部を覆い、開いた状態のとき、前記第１トレイ部を覆わないカバー部と、
該カバー部の開閉に係る動力を前記第１トレイ部へ伝達する第１動力伝達手段と、を備え、
該第１動力伝達手段は、前記カバー部が開いた状態に切り替るとき、該カバー部の変位に伴って前記第１トレイ部を前記使用時ポジションへ変位させ、
前記カバー部が閉じた状態に切り替るとき、該カバー部の変位に伴って前記第１トレイ部を前記収納時ポジションへ変位させる構成である給送装置。
【請求項２】
請求項１に記載の給送装置において、前記送り経路と面一になる使用時位置と、前記送り経路から離間する不使用時位置と、を有しており、前記送り経路の他端側に設けられ、被送り媒体を載置する第２トレイ部と、
前記カバー部の動力を前記第２トレイ部へ伝達する第２動力伝達手段と、を備え、
該第２動力伝達手段は、前記カバー部が開いた状態に切り替るとき、該カバー部の変位に伴って前記第２トレイ部を前記使用時位置へ変位させ、
前記カバー部が閉じた状態に切り替るとき、該カバー部の変位に伴って前記第２トレイ部を前記不使用時位置へ変位させる構成である給送装置。
【請求項３】
請求項１または２に記載の給送装置において、前記第１トレイ部には、被送り媒体の幅方向に変位可能であって被送り媒体の側端を揃えるエッジガイド部が設けられており、
前記第１トレイ部が前記収納時ポジションから前記使用時ポジションへ変位することによって前記エッジガイド部が前記基体部より突出する構成である給送装置。
【請求項４】
請求項１乃至３のいずれか１項に記載の給送装置において、
前記カバー部は、揺動することによって開閉するように設けられており、
該カバー部が閉じた状態では、前記カバー部の揺動支点を基準とした一端側が、前記第１トレイ部を覆っており、
前記カバー部が揺動して開いた状態となる際、該カバー部の他端側が、前記第１トレイ部を押し上げて前記使用時ポジションへ変位させることを特徴とする給送装置。
【請求項５】
請求項１乃至４のいずれか１項に記載の給送装置において、
前記送り経路の他端側に設けられ、被送り媒体を載置する第２トレイ部をさらに備え、
給送前の被送り媒体を載置する前記第１トレイ部と、給送後の被送り媒体を載置する前記第２トレイ部とが異なる層を成す位置関係を有する積層構造によって、前記送り経路はＵ字状に形成されており、かつ、前記第１トレイ部は前記第２トレイ部より積層方向上方であり、
前記カバー部が開いた状態に切り替るとき、前記第１トレイ部が前記収納時ポジションより積層方向上方である前記使用時ポジションへ変位することにより、該第１トレイ部の積層方向下方に位置する前記送り経路における被送り媒体の厚み方向の間隔が広くなることを特徴とする給送装置。
【発明の詳細な説明】
【技術分野】
【０００１】
本発明は、被送り媒体の送り経路の一端側に設けられ、被送り媒体を載置するトレイ部と、該トレイ部を収容する筐体を形成する基体部と、開閉可能に設けられており、閉じた状態のとき、前記トレイ部を覆うカバー部と、を備えた給送装置に関する。
【背景技術】
【０００２】
従来では、特許文献１に示す如く、原稿読取り装置において被送り媒体の一例である用紙を給送する給送装置が設けられていた。そして、前記給送装置は、カバー部材と、給紙トレイと、排出トレイと、原稿送り手段とを有していた。また、前記カバー部材は、前記給紙トレイを覆うことができるように設けられていた。従って、ユーザーは、前記カバー部材を開いて用紙を前記給紙トレイにセットすることができた。その後、前記給送装置は、用紙を送ることができた。
【発明の概要】
【発明が解決しようとする課題】
【０００３】
しかしながら、前記給紙トレイおよび前記排出トレイは、常に給送装置本体である筐体に対して固定であった。そして、前記カバー部材を閉じたとき、前記給紙トレイは、前記カバー部材と干渉、即ち、当接しないように両者の間に十分な隙間が設けられていた。  
従って、前記カバー部材を閉じたとき、前記隙間が広ければ広いほど、閉じたときの内部スペースに無駄が生じる。その結果、給送装置全体が大型化する虞がある。
【０００４】
本発明は、このような状況に鑑み成されたものであり、その課題は、カバー部が閉じた状態の給送装置全体を小型化することができる給送装置を提供することである。
【課題を解決するための手段】
【０００５】
上記課題を達成するため、本発明の第１の態様の給送装置は、筐体を形成する基体部と、該基体部内に収容された収納時ポジションと、該収納時ポジションより前記基体部から突出する方向へ変位した使用時ポジションと、を有しており、被送り媒体の送り経路の一端側に設けられ、被送り媒体を載置する第１トレイ部と、開閉可能に設けられており、閉じた状態のとき、前記収納時ポジションの前記第１トレイ部を覆い、開いた状態のとき、前記第１トレイ部を覆わないカバー部と、該カバー部の開閉に係る動力を前記第１トレイ部へ伝達する第１動力伝達手段と、を備え、該第１動力伝達手段は、前記カバー部が開いた状態に切り替るとき、該カバー部の変位に伴って前記第１トレイ部を前記使用時ポジションへ変位させ、前記カバー部が閉じた状態に切り替るとき、該カバー部の変位に伴って前記第１トレイ部を前記収納時ポジションへ変位させる構成であることを特徴とする。
【０００６】
本発明の第１の態様によれば、前記第１トレイ部が前記カバー部の開閉動作に対して連動しない構成と比較して、前記カバー部が閉じた状態における無駄なスペースを省くことができる。その結果、前記連動しない構成と比較して、前記カバー部が閉じた状態の給送装置全体を小型化することができる。  
また、前記第１トレイ部が変位可能な構成であるので、被送り媒体が何らかの原因で送り経路において詰まった場合、前記第１トレイ部を変位させることによって容易に詰まった被送り媒体を除去することが可能である。特に、前記第１トレイ部が被送り媒体の送り方向上流端側であって、該第１トレイ部の下方に被送り媒体が排出される構成である場合に有効である。
【０００７】
本発明の第２の態様は、第１の態様において、前記送り経路と面一になる使用時位置と、前記送り経路から離間する不使用時位置と、を有しており、前記送り経路の他端側に設けられ、被送り媒体を載置する第２トレイ部と、前記カバー部の動力を前記第２トレイ部へ伝達する第２動力伝達手段と、を備え、該第２動力伝達手段は、前記カバー部が開いた状態に切り替るとき、該カバー部の変位に伴って前記第２トレイ部を前記使用時位置へ変位させ、前記カバー部が閉じた状態に切り替るとき、該カバー部の変位に伴って前記第２トレイ部を前記不使用時位置へ変位させる構成であることを特徴とする。
【０００８】
本発明の第２の態様によれば、第１の態様と同様の作用効果に加え、前記第１トレイ部に加えて前記第２トレイ部をも前記カバー部の開閉動作に連動させることができる。従って、第２トレイ部が連動しない構成と比較して、前記カバー部が閉じた状態における無駄なスペースを省くことができる。その結果、前記カバー部が閉じた状態の給送装置全体をより小型化することができる。  
また、前記不使用時位置における前記第２トレイ部に、トレイ以外の部材としての役割を持たせることも可能である。例えば、閉じた状態の前記カバー部と同一面を形成することにより外観を美しくする外装面としての役割を持たせることも可能である。
【０００９】
本発明の第３の態様は、第１または第２の態様において、前記第１トレイ部には、被送り媒体の幅方向に変位可能であって被送り媒体の側端を揃えるエッジガイド部が設けられており、前記第１トレイ部が前記収納時ポジションから前記使用時ポジションへ変位することによって前記エッジガイド部が前記基体部より突出する構成であることを特徴とする。
【００１０】
本発明の第３の態様によれば、第１または第２の態様と同様の作用効果に加え、前記使用時ポジションでは、前記エッジガイド部が前記基体部より突出している。従って、ユーザーは、前記エッジガイド部が突出していない場合と比較して、前記エッジガイド部を容易に操作することができる。即ち、前記エッジガイド部の操作性に優れる。
【００１１】
本発明の第４の態様は、第１から第３のいずれか一の態様において、前記カバー部は、揺動することによって開閉するように設けられており、該カバー部が閉じた状態では、前記カバー部の揺動支点を基準とした一端側が、前記第１トレイ部を覆っており、前記カバー部が揺動して開いた状態となる際、該カバー部の他端側が、前記第１トレイ部を押し上げて前記使用時ポジションへ変位させることを特徴とする。  
本発明の第４の態様によれば、第１から第３のいずれか一の態様と同様の作用効果に加え、簡単な構成で前記カバー部と前記第１トレイ部とを連動させることができる。
【００１２】
本発明の第５の態様は、第１から第４のいずれか一の態様において、前記送り経路の他端側に設けられ、被送り媒体を載置する第２トレイ部をさらに備え、給送前の被送り媒体を載置する前記第１トレイ部と、給送後の被送り媒体を載置する前記第２トレイ部とが異なる層を成す位置関係を有する積層構造によって、前記送り経路はＵ字状に形成されており、かつ、前記第１トレイ部は前記第２トレイ部より積層方向上方であり、前記カバー部が開いた状態に切り替るとき、前記第１トレイ部が前記収納時ポジションより積層方向上方である前記使用時ポジションへ変位することにより、該第１トレイ部の積層方向下方に位置する前記送り経路における被送り媒体の厚み方向の間隔が広くなることを特徴とする。
【００１３】
本発明の第５の態様によれば、第１から第４のいずれか一の態様と同様の作用効果に加え、前記カバー部の開閉によって前記第１トレイ部の積層方向下方に位置する前記送り経路における被送り媒体の厚み方向の間隔を変化させることができる。具体的には、前記カバー部が閉じた状態のとき、該間隔を狭くすることができる。その分、前記カバー部が閉じた状態において、給送装置全体を小型化することができる。特に、給送前の被送り媒体を載置する前記第１トレイ部と、給送後の被送り媒体を載置する前記第２トレイ部とが異なる層を成す位置関係を有する積層構造であって、前記第１トレイ部は前記第２トレイ部より積層方向上方であり、前記送り経路はＵ字状に形成されている場合に効果的である。
【図面の簡単な説明】
【００１４】
【図１】本発明に係るプリンター複合機のカバー部が閉じた状態を示す斜視図。
【図２】本発明に係るプリンター複合機のカバー部が開いた状態を示す斜視図。
【図３】本発明に係る給送装置のカバー部が閉じた状態を示す側断面図。
【図４】本発明に係る給送装置のカバー部の開閉途中の状態を示す側断面図。
【図５】本発明に係る給送装置のカバー部の開閉途中の状態を示す側断面図。
【図６】本発明に係る給送装置のカバー部が開いた状態を示す側断面図。
【発明を実施するための形態】
【００１５】
以下、本願発明に係る給送装置、該給送装置を備えた画像処理装置について説明する。  
図１に示すのは、画像処理装置としてのプリンター複合機のカバー部が閉じた状態のときの外観を示す斜視図である。また、図２に示すのは、プリンター複合機のカバー部が開いた状態のときの外観を示す斜視図である。  
最初に、本願発明の画像処理装置を実施するための最良の形態としてインクジェットプリンターの上部にスキャナー部を搭載したプリンター複合機について、その全体構成の概略を簡単に説明する。
【００１６】
図１および図２に示す如く、プリンター複合機１は、プリンター本体部１０と、給送装置２０とを有している。  
このうち、プリンター本体部１０は、鎖線で示す如くプリンター複合機１の鉛直方向下方に配設されている。また、プリンター本体部１０は、スキャナー部１１と、給送部１２と、記録部１３と、排出部１４とを備えている。
【００１７】
スキャナー部１１は、プリンター本体部１０における給送装置側である上方に配設されている。そして、スキャナー部１１は、詳しくは後述する給送装置２０によって、給送された用紙Ｐの面に記録された写真や文書等の情報を読み取ることができるように構成されている。また、給送部１２は、プリンター本体部１０の内部に積層された用紙Ｐを給送することができるように構成されている。またさらに、記録部１３は、給送部１２によって給送された用紙Ｐに対してインクを吐出することにより記録実行をすることができるように構成されている。また、排出部１４は、記録部１３において記録された用紙Ｐをプリンター本体部１０の内部から外部へ排出することができるように構成されている。
【００１８】
一方、給送装置２０は、プリンター本体部１０の上方に配設されている。そして、プリンター本体部側のスキャナー部１１と対向する位置に対して用紙Ｐを給送することができるように設けられている。そして、スキャナー部１１によって用紙Ｐの面に記録された情報が読み取られる。その後、給送装置２０は、用紙Ｐを排出トレイ部５０（図２参照）まで送ることができるように設けられている。
【００１９】
尚、給送装置全体を上方へ揺動させて、プリンター本体部１０のスキャナー部１１と対向するように用紙Ｐの読み取らせたい面を向けて、スキャナー部１１と対向する位置に直接、用紙Ｐをセットすることも可能である。係る場合、上方へ揺動させた給送装置全体を下方へ揺動させて用紙Ｐをスキャナー部１１に押し当てて、用紙Ｐの面の情報をスキャナー部１１に読み取らせることができる。
【００２０】
また、給送装置２０は、筐体を形成する基体部２１と、カバー部４０と、第１トレイ部としての用紙サポート部３０と、第２トレイ部としての排出トレイ部５０とを有している。カバー部４０は、用紙サポート部３０を覆うことが可能に設けられている。また、用紙サポート部３０は、用紙Ｐの給送トレイの役割を果たすことができるように設けられている。またさらに、排出トレイ部５０は、スキャナー部１１によって読み取られた用紙Ｐを載置することができるように設けられている。
【００２１】
図１に示すカバー部４０が閉じた状態では、基体部２１の上面、カバー部４０および排出トレイ部５０は、緩やかな曲面上に所謂、面一となるように構成されている。従って、美しい外観を構成することができる。このときの排出トレイ部５０の位置が、排出トレイ部５０の「不使用時位置（Ｅ１）」である。  
ここで、排出トレイ部５０の「不使用時位置（Ｅ１）」とは、用紙Ｐが送られる経路である送り経路Ｑから離間した位置であって、排出トレイ部５０として機能しない位置をいう。具体的には、給送装置２０を使用しないときにとる位置であって、カバー部４０が閉じた状態にとる前記曲面を面一に形成する位置である。
【００２２】
カバー部４０が閉じた状態では、後述する給送開口部３３（図２参照）は閉じた状態である。また、排出開口部５３（図２参照）も閉じた状態である。  
ここで、給送開口部３３とは、後述する案内フレーム部２２および用紙サポート部３０によって用紙Ｐがセットされる開口部をいう。一方、排出開口部５３とは、用紙Ｐが後述する排出トレイ部５０へ排出される開口部をいう。  
また、カバー部４０のカバー軸部４１（図３〜図６参照）を基準とした一端側４２には、切欠き部４３が設けられている（図１参照）。従って、ユーザーは、切欠き部４３に指を引っかけてカバー部４０を図１に示す閉じた状態から図２に示す開いた状態に揺動させることができる。
【００２３】
カバー部４０を開いた状態にすると、カバー部４０に覆われていた用紙サポート部３０および給送開口部３３が現れると共に、用紙サポート部３０は上方へ変位する。この位置が用紙サポート部３０の「使用時ポジション（Ｄ２）」である。  
ここで、用紙サポート部３０の「使用時ポジション（Ｄ２）」とは、給送装置２０を使用するときにおける用紙サポート部３０がとるポジションをいう。具体的には、カバー部４０が開いた状態のポジションである。
【００２４】
詳しくは後述するが、カバー部４０の一端側４２と反対側である他端側４４に設けられた第１動力伝達手段７０および第２動力伝達手段８０を兼ねる突片４５が、用紙サポート部３０を押し上げて「使用時ポジション（Ｄ２）」へ変位させるように構成されている。  
ここで、第１動力伝達手段７０とは、カバー部４０が開閉する際の動力を用紙サポート部３０へ伝達して用紙サポート部３０を変位させる手段をいう。また、第２動力伝達手段８０とは、カバー部４０が開閉する際の動力を排出トレイ部５０へ伝達して排出トレイ部５０を変位させる手段をいう。
【００２５】
また、用紙サポート部３０には、用紙Ｐの幅方向Ｘへ移動可能なエッジガイド部３２、３２が設けられている。そして、用紙サポート部３０の「使用時ポジション（Ｄ２）」では、エッジガイド部３２、３２の少なくとも一部が基体部２１から上方へ突出するように構成されている。従って、ユーザーは、用紙Ｐを用紙サポート部上にセットした際、容易にエッジガイド部３２、３２を操作して用紙Ｐの位置および姿勢を安定させることができる。  
尚、基体部２１には、案内フレーム部２２が設けられており、用紙Ｐは、案内フレーム部２２から用紙サポート部３０の範囲に亘ってセットされるように構成されている。さらに、用紙Ｐの後端側がカバー部４０の内側面にも支持されるように構成してもよい。
【００２６】
またさらに、カバー部４０を開いた状態にすることにより、排出トレイ部５０は、「使用時位置（Ｅ２）」へ変位するように構成されている。これに伴い、排出開口部５３が開くように構成されている。  
ここで、排出トレイ部５０の「使用時位置（Ｅ２）」とは、送り経路Ｑと面一になる位置であって、排出された用紙Ｐを受け止め載置することができる位置をいう。本実施例では、排出トレイ部５０の「使用時位置（Ｅ２）」は、「不使用時位置（Ｅ１）」より積層方向下方（Ｚ軸の矢印と逆方向）である。積層方向下方に変位することにより、送り経路Ｑの他端側と接触して送り経路Ｑと面一になることができるように構成されている。
【００２７】
また、「使用時ポジション（Ｄ２）」の用紙サポート部３０と、「使用時位置（Ｅ２）」の排出トレイ部５０とは、積層構造となるように構成されている。  
ここで、積層構造とは、積層方向（Ｚ軸方向）において上下にずれた位置関係、即ち、異なる層を成す位置関係を有する構造をいう。異なる層を成す関係であればよく、必ずしも、使用時ポジション（Ｄ２）」の用紙サポート部３０と、「使用時位置（Ｅ２）」の排出トレイ部５０とが重なっている必要はない。  
本実施形態では、使用時ポジション（Ｄ２）」の用紙サポート部３０は、「使用時位置（Ｅ２）」の排出トレイ部５０より、積層方向上方に位置する構成である。そして、送り経路Ｑは側視Ｕ字状に形成されている。
【００２８】
続いて、カバー部４０の開閉動作によって用紙サポート部３０および排出トレイ部５０がどのように変位するかについて、詳しく説明する。  
図３に示すのは、本発明に係る給送装置のカバー部が閉じた状態を示す側断面図である。また、図４に示すのは、本発明に係る給送装置のカバー部の開閉途中の状態を示す側断面図である。またさらに、図５に示すのは、図４の状態からさらにカバー部を開く方向へ揺動させた状態を示す側断面図である。また、図６に示すのは、本発明に係る給送装置のカバー部が開いた状態を示す側断面図である。
【００２９】
図３に示す如く、カバー部４０が閉じた状態では、前述したように、基体部２１の上面、カバー部４０および排出トレイ部５０が緩やかな曲面を所謂、面一で構成している。また、カバー部４０は、カバー軸部４１を支点に揺動可能に設けられている。カバー軸部４１を基準としたカバー部４０の一端側４２は、基体部２１に形成された規制部２６と係合している。これにより、カバー部４０の図３における反時計方向の揺動が規制され、カバー部４０が閉じた状態の姿勢を精度よく決めることができる。
【００３０】
また、排出トレイ部５０は、排出トレイ軸部５１を支点に揺動可能に設けられている。そして、排出トレイ部５０の自由端側は、カバー部４０の一端側４２と反対側である他端側４４に形成された突片４５に支えられるように構成されている。従って、排出トレイ部５０の「不使用時位置（Ｅ１）」を精度よく決めることができる。  
またさらに、用紙サポート部３０は、サポート揺動軸３１を支点に揺動可能に設けられている。
【００３１】
そして、自重によって図３における時計方向へ揺動しようとするが、基体部２１に設けられた図示しない第１揺動規制突起によって用紙サポート部３０の姿勢が図３に示す状態で規制されるように構成されている。用紙サポート部３０の「収納時ポジション（Ｄ１）」である。  
ここで、用紙サポート部３０の「収納時ポジション（Ｄ１）」とは、用紙サポート部３０が基体部２１に収納された状態のポジションをいう。具体的には、カバー部４０が閉じた状態にとるポジションである。
【００３２】
また、給送装置２０の内部には、基体部２１に形成された案内フレーム部２２および固定トレイ部２３によってＵ字状の送り経路Ｑが形成されている。そして、送り経路Ｑにおける用紙Ｐの送り方向上流側には、用紙サポート部３０が配設されている。一方、送り経路Ｑにおける用紙Ｐの送り方向下流側には、排出トレイ部５０が配設されている。  
またさらに、詳しくは後述するが、固定トレイ部２３の送り方向下流側には、凹部２４および段差部２５が形成されている。
【００３３】
このうち、凹部２４は、カバー部４０の突片４５が通過することができるように設けられている。また、段差部２５は、後述するように排出トレイ部５０が「使用時位置（Ｅ２）」に変位して段差部２５の低い箇所に排出トレイ部５０の自由端（５２）が位置することにより（図４〜図６参照）、用紙Ｐをスムーズに排出トレイ部５０へ案内することができるように構成されている。  
また、送りローラー６０、６０は、案内フレーム部２２および用紙サポート部３０に亘ってセットされた用紙Ｐを一枚ずつピックアップして給送することができるように構成されている。
【００３４】
図４に示す如く、ユーザーがカバー部４０の一端側４２の切欠き部４３（図１参照）に指を引っかけて、カバー部４０を開く方向である時計方向へ揺動させる。このとき、排出トレイ部５０は、「不使用時位置（Ｅ１）」から「使用時位置（Ｅ２）」へ変位する。  
具体的には、排出トレイ部５０の自由端側５２が、時計方向へ揺動するカバー部４０の突片４５に支えられながら、自重によって反時計方向へ揺動する。そして、排出トレイ部５０の自由端側５２が基体部２１における段差部２５の低い箇所と当接して停止する。さらに、カバー部４０が時計方向へ揺動すると、カバー部４０の突片４５が、排出トレイ部５０の自由端側５２から離間して凹部２４に入る。その結果、給送開口部３３が現れると共に、排出開口部５３が開いた状態となる。
【００３５】
図５に示す如く、図４の状態からユーザーがカバー部４０を時計方向へ揺動させると、突片４５が、用紙サポート部３０に接近する。そして、さらにカバー部４０を時計方向へ揺動させることにより、突片４５を用紙サポート部３０と当接させて、用紙サポート部３０を鉛直方向上方へ押し上げることができる。具体的には、用紙サポート部３０を、サポート揺動軸３１を支点に図５における反時計方向へ揺動させることができる。
【００３６】
図６に示す如く、図５の状態からユーザーがカバー部４０を時計方向へ揺動させると、用紙サポート部３０を、さらに反時計方向へ揺動させることができる。そして、用紙サポート部３０を、エッジガイド部３２、３２の少なくとも一部が基体部２１より上方へ突出した状態である用紙サポート部３０の「使用時ポジション（Ｄ２）」まで変位させることができる。
【００３７】
このとき、用紙サポート部３０は、基体部２１に設けられた図示しない第２揺動規制突起によって「使用時ポジション（Ｄ２）」より反時計方向への揺動が規制されるように構成されている。  
また、用紙サポート部３０は、「使用時ポジション（Ｄ２）」において、図示しない安定手段によって安定することができるように構成されている。
【００３８】
例えば、安定手段として、カバー部４０および基体部２１の一方に小さな突起を設け、他方に小さな凹部を設けて前記小さな突起と前記小さな凹部とを係合させることにより用紙サポート部３０を「使用時ポジション（Ｄ２）」で安定させることができる。  
尚、安定手段の保持力は、用紙サポート部３０の自重およびセットされる用紙Ｐの自重に対抗することができる程度であるのは言うまでもない。
【００３９】
用紙Ｐが案内フレーム部２２および用紙サポート部３０にセットされた後、ユーザーは、エッジガイド部３２、３２の位置を確認する。そして、スキャナー部１１で用紙Ｐの面の情報を読み取るべく、図示しない表示部を操作する。すると、送りローラー６０、６０が、セットされた用紙Ｐのうちの最上位の用紙Ｐを、ピックアップして送り方向下流側へ送る。そして、送られる用紙Ｐは、送り経路Ｑの形状に沿ってＵ字状に向きを変えて反転する。このとき、スキャナー部１１で用紙Ｐの面の情報が読み取られる。
【００４０】
その後、用紙Ｐは図示しないローラーによってさらに送り方向下流側に送られ、固定トレイ部２３を介して排出トレイ部５０へ排出される。先行する用紙Ｐのスキャナー部１１での読み取りが完了した時点で、後続の用紙Ｐが送りローラー６０、６０によってピックアップされ、先行する用紙Ｐと同様にスキャナー部１１で読み取られる。このように、給送、読み取りおよび排出を繰り返すことにより、用紙サポート部３０にセットされた用紙Ｐの数は減少すると共に、排出トレイ部５０に積層される用紙Ｐの数は増加する。そして、最後の一枚の用紙Ｐが排出トレイ部５０に排出されるとスキャニング終了となる。
【００４１】
続いて、カバー部４０を開いた状態から閉じるときの動作について説明する。  
図６に示す状態から、ユーザーがカバー部４０を閉じる方向である反時計方向へ揺動させる。すると、突片４５が反時計方向へ揺動するので、用紙サポート部３０は、突片４５に支えられながら自重により時計方向へ揺動する。従って、図５に示す状態となる。
【００４２】
図５に示す状態から、ユーザーがカバー部４０をさらに反時計方向へ揺動させると、用紙サポート部３０は、突片４５に支えられながら自重によりさらに時計方向へ揺動する。そして、用紙サポート部３０は、前述した図示しない第１揺動規制突起と当接することにより、停止する。即ち、用紙サポート部３０の「収納時ポジション（Ｄ１）」で停止する。  
続いて、ユーザーがカバー部４０をさらに反時計方向へ揺動させると、突片４５が、用紙サポート部３０から離間し、基体部２１の凹部２４に入る。従って、図４に示す状態となる。
【００４３】
図４に示す状態から、ユーザーがカバー部４０をさらに反時計方向へ揺動させる。すると、突片４５が、基体部２１の段差部２５の低い箇所と、排出トレイ部５０の排出トレイ自由端側５２との間に入り込む。そして、突片４５が、排出トレイ自由端側５２を掬い上げて、排出トレイ部５０を時計方向へ揺動させる。そして、カバー部４０の一端側４２が基体部２１の規制部２６と接触するまで完全にカバー部４０を閉じた状態にすると、排出トレイ部５０は「不使用時位置（Ｅ１）」まで変位して停止する。このとき、給送開口部３３はカバー部４０によって塞がれた状態となる。また、排出開口部５３は閉じた状態となる。
【００４４】
以上、説明したように、カバー部４０を開閉することによって、用紙サポート部３０および排出トレイ部５０を連動させて変位させることができる。そして、カバー部４０を閉じた状態から開いた状態にすることにより、用紙サポート部３０を「収納時ポジション（Ｄ１）」から「使用時ポジション（Ｄ２）」へ変位させることができる。
【００４５】
このとき、用紙サポート部３０と固定トレイ部２３との間の距離が長くなる。即ち、送り経路Ｑの空間における用紙Ｐの厚み方向（本実施例ではＺ軸方向）の広さについて、使用時において必要十分な広さとなり、不使用時においてできるだけ狭くすることができる構成である。その結果、不使用時であるカバー部４０が閉じた状態における無駄なスペースを省くことができ、給送装置全体を小型化することができる。
【００４６】
具体的には、用紙サポート部３０が「使用時ポジション（Ｄ２）」で固定された構成である場合と比較して、カバー部４０が閉じた状態における給送装置全体をＺ軸方向において薄くすることができる。  
また、用紙サポート部３０を揺動可能に設けたので、用紙サポート部３０の下方で用紙Ｐが詰まった場合、ユーザーが用紙サポート部３０を持ち上げることにより、容易に詰まった用紙Ｐを除去することができる。即ち、用紙ジャムを容易に解除することができる。
【００４７】
尚、上記実施例では、第１トレイ部を送り方向上流側であって鉛直方向上方（Ｚ軸の矢印方向）に配設された用紙サポート部３０、第２トレイ部を送り方向下流側であって鉛直方向下方に配設された排出トレイ部５０として説明したが、逆の構成であってもよい。具体的には、第１トレイ部が排出トレイ部５０、第２トレイ部が用紙サポート部３０として、鉛直方向下方の第１トレイ部（排出トレイ部）から鉛直方向上方の第２トレイ部（用紙サポート部）へ用紙Ｐが送られる構成であってもよい。
【００４８】
また、上記実施例では、突片４５が第１動力伝達手段７０および第２動力伝達手段８０を兼ね構成としたが、別々に構成してもよい。  
またさらに、突片４５が直に用紙サポート部３０および排出トレイ部５０に作用する構成としたが、他の部材を介して間接的に作用する構成としてもよい。  
また、上記実施例では、カバー部４０が揺動する構成としたが、スライドして開閉する構成であってもよいのは勿論である。
【００４９】
またさらに、上記実施例では、排出トレイ部５０の「使用時位置（Ｅ２）」は「不使用時位置（Ｅ１）」より基体部２１の内側であったが、逆の構成でもよい。即ち、使用時位置において、基体部より突出する側に変位する構成としてもよい。係る場合、不使用時であるカバー部４０が閉じた状態における給送装置全体をより小型化することができる。  
また、本発明は上記実施例に限定されることなく、特許請求の範囲に記載した発明の範囲内で、種々の変形が可能であり、それらも本発明の範囲内に含まれるものであることは言うまでもない。
【００５０】
本実施形態の給送装置２０は、筐体を形成する基体部２１と、基体部内に収容された「収納時ポジション（Ｄ１）」と、「収納時ポジション（Ｄ１）」より基体部２１から突出する方向へ変位した「使用時ポジション（Ｄ２）」と、を有しており、被送り媒体の一例である用紙Ｐの送り経路Ｑの一端側に設けられ、用紙Ｐを載置する第１トレイ部としての用紙サポート部３０と、開閉可能に設けられており、閉じた状態のとき、「収納時ポジション（Ｄ１）」の用紙サポート部３０を覆い、開いた状態のとき、用紙サポート部３０を覆わないカバー部４０と、カバー部４０の開閉に係る動力を用紙サポート部３０へ伝達する第１動力伝達手段７０の一例である突片４５と、を備え、突片４５は、カバー部４０が開いた状態に切り替るとき、カバー部４０の変位に伴って用紙サポート部３０を「使用時ポジション（Ｄ２）」へ変位させ、カバー部４０が閉じた状態に切り替るとき、カバー部４０の変位に伴って用紙サポート部３０を「収納時ポジション（Ｄ１）」へ変位させる構成であることを特徴とする。
【００５１】
また、本実施形態において、送り経路Ｑの他端側に設けられ、用紙Ｐを載置する第２トレイ部としての排出トレイ部５０は、図６に示すような「使用時位置（Ｅ２）」と、図３に示すような「不使用時位置（Ｅ１）」と、を有している。  
ここで、「使用時位置（Ｅ２）」とは、排出トレイ部５０が、送り経路Ｑと面一になり用紙Ｐを載置可能な位置であり、「不使用時位置（Ｅ１）」とは、排出トレイ部５０が、送り経路Ｑから離間し、例えば、図３に示すような外装面として機能する位置である。
【００５２】
また、カバー部４０の開閉に伴い生じる動力を排出トレイ部５０へ伝達する第２動力伝達手段８０としての突片４５を備え、突片４５は、カバー部４０が開いた状態に切り替るとき、カバー部４０の変位に伴って排出トレイ部５０を「使用時位置（Ｅ２）」へ変位させ、カバー部４０が閉じた状態に切り替るとき、カバー部４０の変位に伴って排出トレイ部５０を「不使用時位置（Ｅ１）」へ変位させる構成であることを特徴とする。
【００５３】
またさらに、本実施形態において、用紙サポート部３０には、用紙Ｐの幅方向Ｘに変位可能であって用紙Ｐの側端を揃えるエッジガイド部３２、３２が設けられており、用紙サポート部３０が「収納時ポジション（Ｄ１）」から「使用時ポジション（Ｄ２）」へ変位することによってエッジガイド部３２、３２が基体部２１より突出する構成であることを特徴とする。
【００５４】
また、本実施形態において、カバー部４０は、揺動することによって開閉するように設けられており、カバー部４０が閉じた状態では、カバー部４０の揺動支点を基準とした一端側４２が、用紙サポート部３０を覆っており、カバー部４０が揺動して開いた状態となる際、カバー部４０の他端側４４が、用紙サポート部３０を押し上げて「使用時ポジション（Ｄ２）」へ変位させることを特徴とする。
【００５５】
またさらに、本実施形態において、送り経路Ｑの他端側に設けられ、用紙Ｐを載置する第２トレイ部としての排出トレイ部５０をさらに備え、給送前の用紙Ｐを載置する用紙サポート部３０と、給送後の用紙Ｐを載置する排出トレイ部５０とが異なる層を成す位置関係を有する積層構造によって、送り経路ＱはＵ字状に形成されており、かつ、用紙サポート部３０は排出トレイ部５０より積層方向上方（Ｚ軸の矢印方向）であり、カバー部４０が開いた状態に切り替るとき、用紙サポート部３０が「収納時ポジション（Ｄ１）」より積層方向上方である「使用時ポジション（Ｄ２）」へ変位することにより、用紙サポート部３０の積層方向下方に位置する送り経路Ｑにおける用紙Ｐの厚み方向であるＺ軸方向の間隔が広くなることを特徴とする。
【符号の説明】
【００５６】
１  プリンター複合機、１０  プリンター本体部、１１  スキャナー部、１２  給送部、
１３  記録部、１４  排出部、２０  給送装置、２１  基体部、２２  案内フレーム部、
２３  固定トレイ部、２４  凹部、２５  段差部、２６  規制部、
３０  用紙サポート部（第１トレイ部）、３１  サポート揺動軸、
３２  エッジガイド部、３３  給送開口部、４０  カバー部、４１  カバー軸部、
４２  一端側、４３  切欠き部、４４  他端側、４５  突片、
５０  排出トレイ部（第２トレイ部）、５１  排出トレイ軸部、
５２  排出トレイ自由端側、５３  排出開口部、６０  送りローラー、
７０  第１動力伝達手段、８０  第２動力伝達手段、Ｄ１  収納時ポジション、
Ｄ２  使用時ポジション、Ｅ１  不使用時位置、Ｅ２  使用時位置、Ｐ  用紙、
Ｑ  送り経路、Ｘ  用紙の幅方向、Ｚ  鉛直方向
【先行技術文献】
【特許文献】
【００５７】
【特許文献１】特開平５−１４５９３号公報
【図１】
2010245624.tif 000003
【図２】
2010245624.tif 000004
【図３】
2010245624.tif 000005
【図４】
2010245624.tif 000006
【図５】
2010245624.tif 000007
【図６】
2010245624.tif 000008